(57)【要約】【課題】使いやすさをより多くの入浴者に提供可能な浴室用補助装置を提供する。【解決手段】浴室１０用の補助装置３０は、入浴者の立ち上がり動作を補助する。補助装置３０は、浴槽２０の第１の側壁２１に沿って浴室１０の壁１１に設置可能な手すり３１と、手すり３１から突出し、入浴者が把持可能な形状を有する突起４２とを備える。【選択図】図１
2016158775.tif 000002
【特許請求の範囲】
【請求項１】
入浴者の立ち上がり動作を補助する浴室用補助装置であって、
浴槽の側壁に沿って浴室の壁に設置可能な手すりと、
前記手すりから突出し、前記入浴者が把持可能な形状を有する突起と
を備える浴室用補助装置。
【請求項２】
前記突起の長さは、前記浴槽の幅よりも短い
請求項１に記載の浴室用補助装置。
【請求項３】
前記突起の長さは、前記浴槽の側壁の厚みよりも短い
請求項２に記載の浴室用補助装置。
【請求項４】
前記突起の長さは、前記手すりの長さよりも短い
請求項１〜３のいずれか一項に記載の浴室用補助装置。
【請求項５】
前記突起の長さは、１〜１０ｃｍの範囲内に含まれる
請求項１〜４のいずれか一項に記載の浴室用補助装置。
【請求項６】
前記突起は、前記手すりの長手方向に沿って移動できるように前記手すりに支持される
請求項１〜５のいずれか一項に記載の浴室用補助装置。
【請求項７】
前記突起は、前記手すりの長手方向に沿う前記手すりの中心軸まわりで回転できるように前記手すりに支持される
請求項１〜６のいずれか一項に記載の浴室用補助装置。
【請求項８】
前記突起が前記手すりから突出する方向は、前記手すりの長手方向と略直交する
請求項１〜７のいずれか一項に記載の浴室用補助装置。
【請求項９】
前記突起の頂部は、前記突起の根本の部分よりも膨らんでいる
請求項１〜８のいずれか一項に記載の浴室用補助装置。
【請求項１０】
前記突起の形状は、前記手すりの径方向に対して、線対称の形状である
請求項１〜９のいずれか一項に記載の浴室用補助装置。
【発明の詳細な説明】
【技術分野】
【０００１】
本発明は、浴室用補助装置に関する。
【背景技術】
【０００２】
浴室用補助装置は、例えば入浴者の立ち上がり動作を補助するために浴室に設置される。その一例である特許文献１の浴室用補助装置は、浴槽の側壁に沿って浴室の壁に設置される一対の手すり、および、一対の手すりに沿って移動できるように一対の手すりに支持される可動式手すりを備える。
【０００３】
上記浴室用補助装置が設置された浴室によれば、入浴者は、一対の手すりのうちの浴槽に近い手すりを握ることにより、浴槽内において安定した姿勢を保ちながら浴槽内を移動できる。身長が高い入浴者は、一対の手すりのうちの浴槽から遠い手すりを利用することもできる。また、浴槽内に着座した入浴者は、可動式手すりを握ることにより安定した姿勢を保ちながら浴槽から立ち上がることができる。
【０００４】
入浴者が浴槽内に着座した場合の入浴者の位置、および、入浴者の体型等の違いから、着座した入浴者が手すりを利用して立ち上がろうとするときに腕を伸ばす位置が異なる。上記浴室用補助装置によれば、入浴者は、可動式手すりを一対の手すりに対して移動させ、可動式手すりの位置を自身の立ち上がり動作に適した位置に調節できる。このため、入浴者が浴槽から立ち上がる動作が適切に補助される。
【先行技術文献】
【特許文献】
【０００５】
【特許文献１】特開２００８−７３２６８号公報
【発明の概要】
【発明が解決しようとする課題】
【０００６】
ただし、入浴者が上記可動式手すりを使用する場合の持ち方は、入浴者の体型等にかかわらずおおよそ共通の持ち方に限定される。このため、入浴者の体型等の違いにより、一部の入浴者は若干の不便さを強いられるおそれがある。
【０００７】
本発明の目的は、使いやすさをより多くの入浴者に提供可能な浴室用補助装置を提供することである。
【課題を解決するための手段】
【０００８】
本発明の一形態に従う浴室用補助装置は、入浴者の立ち上がり動作を補助する浴室用補助装置であって、浴槽の側壁に沿って浴室の壁に設置可能な手すりと、前記手すりから突出し、前記入浴者が把持可能な形状を有する突起とを備える。
【発明の効果】
【０００９】
上記浴室用補助装置は、使いやすさをより多くの入浴者に提供できる。
【図面の簡単な説明】
【００１０】
【図１】一実施形態の補助装置が設置された浴室の斜視図。
【図２】図１の補助装置の正面図。
【図３】図２の補助装置の部分拡大図。
【図４】図３の補助装置の４−４線の断面図。
【図５】図４の補助装置の５−５線の断面図。
【図６】図３の補助装置の可動部の回転位置を示す正面図。
【図７】図１の補助装置の使用方法を説明する正面図。
【図８】図７の突起の使用方法の第１の例を説明する正面図。
【図９】図７の突起の使用方法の第２の例を説明する正面図。
【図１０】実施形態の変形例の補助装置の手すりの正面図。
【発明を実施するための形態】
【００１１】
図１〜９を参照して、一実施形態の浴室用補助装置について説明する。
図１に示されるように、浴室１０には、浴槽２０および補助装置３０が設置されている。浴槽２０は、第１の側壁２１、および、第１の側壁２１と対向する第２の側壁２２を備えている。浴槽２０は、第１の側壁２１が浴室１０の壁１１に沿うように設置されている。補助装置３０は、浴室１０の壁１１に取り付けられている。
【００１２】
補助装置３０は、浴槽２０の第１の側壁２１の上方に設置されている。補助装置３０は、手すり３１および可動部４０を備えている。
手すり３１は、第１の側壁２１の上縁２１Ａに沿って延びている。手すり３１は、例えば樹脂材料により形成されている。手すり３１の表面には、塩化ビニル被膜等により滑り止め加工が施されている。手すり３１の両方の端部３１Ａは、壁１１側に屈曲している。両方の端部３１Ａに形成されるフランジ３１Ｃは、図示しないボルト等を介して壁１１に固定されている。
【００１３】
図３に示されるように、手すり３１の中心軸Ｃから第１の側壁２１の上縁２１Ａまでの長さＬＡは、約１３ｃｍである。長さＬＡは、図１に示す浴槽２０の第１の側壁２１の上縁２１Ａから、第２の側壁２２の上縁２２Ａまでの距離である浴槽２０の幅ＬＢよりも短い。
【００１４】
図２に示されるように、可動部４０は、手すり３１に取り付けられて手すり３１に支持されている。可動部４０は、手すり３１の外周を覆う円筒状の支持部４１、支持部４１および手すり３１から突出する突起４２、および、可動部４０の手すり３１に対する位置を固定するロック機構４３（図５参照）を備えている。
【００１５】
図３に示されるように、突起４２は、把持可能な形状を有する。突起４２は、樹脂材料により形成されている。突起４２は、支持部４１と一体的に形成されている。突起４２の表面には、塩化ビニル被膜等により滑り止め加工が施されている。突起４２は、手すり３１の長手方向とは異なる方向に突出している。突起４２の突出方向は、手すり３１と略直交する方向である。突起４２は、突起４２の根本の部分であり、支持部４１から連続する基部４２Ａ、および、基部４２Ａと連続する頂部４２Ｂを備えている。突起４２の長さＬＣは、５〜１０ｃｍの範囲内である。突起４２の長さＬＣ、すなわち、手すり３１の中心軸Ｃから頂部４２Ｂの端部までの長さＬＣは、長さＬＡよりも短い。また、突起４２の長さＬＣは、図１に示す第１の側壁２１の厚みＬＤよりも長くても短くてもよい。図３に示す第１の側壁２１の、厚みＬＤは、図４に示す手すり３１の中心軸Ｃから壁１１までの距離ＬＥよりも大きく、例えば１２ｃｍである。
【００１６】
図３に示されるように、基部４２Ａは、円柱形状を備えている。基部４２Ａの周長は、第１の手すり３１の周長と同様、または、第１の手すり３１の周長よりも小さい。頂部４２Ｂは、球形状を備えている。頂部４２Ｂは、基部４２Ａよりも膨らんでいる。頂部４２Ｂは、入浴者が把持可能な形状である。
【００１７】
図４および図５を参照して、ロック機構４３について説明する。
図４に示されるように、手すり３１の壁１１と対向する裏面３１Ｂは、凹凸が形成されている。支持部４１の手すり３１の長手方向の両方の端部４１Ａは、手すり３１の外周に向かって屈曲し、手すり３１の外周と接触している。
【００１８】
図５に示されるように、ロック機構４３は、支持部４１に取り付けられるボタン装置４４を備えている。ボタン装置４４は、いわゆるモーメンタリ型のボタンであり、支持部４１の表面に配置される。ボタン４４Ａは、図示しないばねにより、支持部４１の表面側に向かう力が付与されている。図５の二点鎖線に示す位置にボタン４４Ａを押し下げることにより、ボタン装置４４の手すり３１と対向する部分が手すり３１から離れる、または、ボタン装置４４の手すり３１と対向する部分から手すり３１へ付与される圧力が小さくなる。このため、可動部４０の手すり３１の長手方向に対する位置が移動可能となる。このため、手すり３１の長手方向における突起４２の位置を移動可能である。また、図６に示すように、突起４２が手すり３１の中心軸Ｃまわりにおいて回転可能となる。突起４２の手すり３１に対する回転位置は、図６の実線に示す突起４２が手すり３１の上方に垂直に突出する位置から、図６の二点鎖線に示す突起４２が手すり３１の下方に垂直に突出する位置までの間で変更可能である。
【００１９】
また、ボタン４４Ａから手を離すなどでボタン４４Ａが元の位置に戻ることにより、ボタン装置４４の手すり３１と対向する部分が手すり３１と接触し、手すり３１に圧力を付与する。ボタン装置４４と手すり３１との接触、および、図３に示す手すり３１の裏面３１Ｂの凹凸に支持部４１の両方の端部４１Ａが嵌まり込むことにより、可動部４０の手すり３１に対する位置がロックされる。
【００２０】
図７〜図９を参照して、補助装置３０の作用について説明する。
図７に示されるように、入浴者は、補助装置３０の突起４２を掴むことにより、浴槽２０から上方かつ前方に起き上がる動作を行うことができる。
【００２１】
浴槽２０から起き上がるとき、突起４２を握った入浴者の手には、下方に向かう力がかかる。このとき、図８に示されるように、入浴者が頂部４２Ｂの頂面に掌を置いて頂部４２Ｂを掴むことにより、身体を楽に起き上がらせることができる。
【００２２】
他方、入浴者が浴槽２０内において上半身を前方に移動させるとき、突起４２を握った入浴者の手には、前方に向かう力がかかる。このとき、図９に示されるように、入浴者が頂部４２Ｂおよび基部４２Ａを側面から掴むことにより、身体を楽に前方に移動せることができる。
【００２３】
例えば、体格の小さい入浴者と体格の大きい入浴者とでは、浴槽２０から起き上がるときの前方への移動量、上方への移動量、および、前方への移動量と上方への移動量との関係が異なる。このため、入浴者によって浴槽２０から起き上がるときの突起４２への力のかけ方が異なる。また、入浴者の入浴位置によっても突起４２への力のかけ方が異なる。このため、入浴者および入浴状況によって入浴者にとって使いやすい突起４２の掴み方が異なる。補助装置３０は、図８および図９に例示されるように、入浴者が使いやすい突起４２の掴み方を選択できる。
【００２４】
補助装置３０は、以下の効果を奏する。
（１）補助装置３０は、手すり３１から突出し、入浴者が把持可能な形状を有する突起４２を備えている。このため、入浴者は、浴槽から起き上がる際に、突起４２の頂部４２Ｂに手を乗せること、および、突起４２を横から握ることの両方を好み等に応じて選択して使用することができる。このため、使いやすさをより多くの入浴者に提供できる。
【００２５】
（２）従来の補助装置は、浴槽の側壁に沿って配置される一対の手すり、および、一対の手すりに支持される可動式手すりを備える。可動式手すりは、所定の長さを備える。このため、可動式手すりを安定して設置するために、一対の手すりの両方に接続される。換言すれば、従来の補助装置は、可動式手すりを安定して設置するために、２つの手すりが浴室の壁に取り付けられる。
【００２６】
補助装置３０は、浴槽２０から起き上がるときに手がかりとなる突起４２を備える。突起４２は、手すり３１からの突出量である長さＬＣが短いため、手すり３１の上方に突起４２の頂部４２Ｂを支持する手すりを備えずに安定して壁１１に設置できる。このため、従来の補助装置と比較して、設置の手間を低減できる。
【００２７】
（３）突起４２の長さＬＣは、浴槽２０の幅ＬＢよりも短い。このため、突起４２の突出方向が浴槽２０側に向かう場合、突起４２が浴槽２０の上面を遮ることを抑制できる。このため、入浴者が浴槽２０に入るとき、または、入浴しているときに突起４２が邪魔になりにくい。
【００２８】
（４）突起４２が手すり３１から突出する方向は、手すり３１の長手方向と略直交する。このため、浴槽２０内における入浴者の向きに関わらず、入浴者が突起４２に手をかけやすくなる。
【００２９】
（５）突起４２の長さＬＣは、手すり３１の長さＬＡよりも短い。換言すれば、手すり３１は、突起４２と比較して十分に長い。このため、入浴者が手すり３１を伝いながら浴槽２０内を移動可能な範囲が広くなる。
【００３０】
（６）一般に、手すり３１の中心軸Ｃから浴槽２０の上縁２１Ａまでの距離は、入浴者の一般的な体格等に基づいて、１０〜２０ｃｍ程度に設定される。突起４２の長さＬＣは、１〜１０ｃｍの範囲内に含まれる。このため、突起４２の手すり３１からの突出方向を下方に向かうようにした場合も、突起４２と浴槽２０の上縁２１Ａとが接触しにくい。このため、突起４２の突出方向の選択幅を広げることができるため、利便性が向上する。
【００３１】
（７）突起４２は、手すり３１の長手方向に移動できるように手すり３１に支持される。このため、手すり３１の長手方向において入浴者に応じた位置に突起４２の位置を変更することができる。このため、利便性を向上できる。
【００３２】
（８）突起４２は、手すり４１の中心軸Ｃまわりで回転できる。このため、手すり３１の中心軸Ｃまわりにおいて入浴者に応じた位置に突起４２の突出方向を変更することができる。このため、利便性を向上できる。
【００３３】
（９）突起４２の頂部４２Ｂは、突起４２の根本の部分である基部４２Ａよりも膨らんでいる。このため、頂部４２Ｂと基部４２Ａとの境界に段差が生じるため、入浴者が頂部４２Ｂと基部４２Ａとの段差に指をかけやすく、かつ、指がずれにくい。このため、入浴者が突起４２を掴んだときの姿勢がより安定する。
【００３４】
浴室用補助装置が取り得る具体的な形態は、上記実施形態に例示された形態に限定されない。浴室用補助装置は、上記実施形態とは異なる各種の形態を取り得る。以下に示される上記実施形態の変形例は、浴室用補助装置が取り得る各種の形態の一例である。
【００３５】
・突起４２の形状を、基部４２Ａが手すり３１から頂部４２Ｂに向かうにつれて太くなる形状に変更することもできる。この場合、基部４２Ａと頂部４２Ｂとの境界に段差を設けない形状の突起４２とすることもできる。
【００３６】
・突起４２を、図１０に示すように頂部１４２Ｂが基部１４２Ａよりも膨らんでいない形状を有する突起１４２とすることもできる。この場合も、入浴者は頂部１４２Ｂの頂面に手を置くことができるため、使い勝手がよい。また、頂部を基部から先端に向かうにつれて細くなるようにし、頂面を曲面にすることもできる。要するに、入浴者が把持可能な形状であれば、突起４２の形状は適宜変更することができる。
【００３７】
・図１０に示すように、突起４２の形状を、手すり３１の径方向に対して線対称の形状とすることもできる。この場合、右手でも左手でも使いやすい形状となるため、右麻痺ないし左麻痺の入浴者の両方に対応させることができる。
【００３８】
・突起４２の頂部４２Ｂを多面体にすることもできる。例えば、四面体、六面体、または、十二面体等が挙げられる。この場合も、頂部４２Ｂの先端に面を配置する、または、先端の角を面取りすることにより、入浴者が頂部４２Ｂに手を置いて突起４２を把持できる。
【００３９】
・突起４２の表面に凹凸を形成することもできる。凹凸の形状は、入浴者の手および指の形状に合わせた形状にすることもできる。
・突起４２を、手すり３１の長手方向と直交する方向に対して傾斜する方向に突出させることもできる。
【００４０】
・可動部４０の手すり３１の中心軸Ｃまわりにおける位置を固定することもできる。この場合、例えば、手すり３１に手すり３１の長手方向に沿うレールを備え、可動部４０にレール上を移動可能なスライダを備えることもできる。
【００４１】
・可動部４０の手すり３１の長手方向における位置を固定することもできる。この場合、例えば、手すり３１に手すり３１の周方向に延びる溝を形成し、可動部４０にこの溝に嵌り込む凸部を形成することもできる。
【００４２】
・突起４２を手すり３１と一体的に形成することもできる。
・突起４２を手すり３１と別体に形成し、手すり３１にねじ等を介して取り付けることもできる。
【００４３】
・突起４２の長さＬＣを、５ｃｍ未満、または、１０ｃｍ以上にすることもできる。
・手すり３１を短くし、突起４２の長さＬＣを、手すり３１の中心軸Ｃから浴槽２０の第１の側壁２１の上縁２１Ａまでの長さＬＡよりも長くすることもできる。
【符号の説明】
【００４４】
１０…浴室、１１…壁、２０…浴槽、２１…第１の側壁（浴室の側壁）、２１Ａ…上縁、３０…補助装置、３１…手すり、４２…突起、４２Ａ…基部、４２Ｂ…頂部、Ｃ…中心軸、ＬＡ…長さ、ＬＢ…浴槽の幅、ＬＣ…突起の長さ。
【図１】
2016158775.tif 000003
【図２】
2016158775.tif 000004
【図３】
2016158775.tif 000005
【図４】
2016158775.tif 000006
【図５】
2016158775.tif 000007
【図６】
2016158775.tif 000008
【図７】
2016158775.tif 000009
【図８】
2016158775.tif 000010
【図９】
2016158775.tif 000011
【図１０】
2016158775.tif 000012